(57)【特許請求の範囲】
【請求項１】
トンネル掘穿坑道の内壁面に、該坑道の地山側から浸出する湧水を前記坑道の底部に集排水させる防水シートを展張する方法において、
遮水シートの地山対接面に、通水性を有する緩衝布が、中間の複数の箇所が接着されて重複形成されているとともに、前記緩衝布の前記地山に対接する面に、前記緩衝布の幅方向に長尺の取付片を緩衝布の長さ方向に所定間隔で配設した防水シートを用い、ロール状に巻回された該防水シートを解反させるとともに、該防水シートの緩衝布面を展張装置の押さえローラで前記地山側へ当接させ、同時に該防水シートの緩衝布の側縁を地山側へ固定させるとともに、前記取付片を地山側へ固定して、前記坑道の内壁面の横断方向に連続して被着させ、前記防水シートの緩衝布の側縁と前記取付片は、押さえ板を介して地山側へ固定させることを特徴とする防水シートの展張方法。
【請求項２】
トンネル掘穿坑道の内壁面に、該坑道の地山側から浸出する湧水を前記坑道の底部に集排水させる防水シートを展張する方法において、
遮水シートの地山対接面に、通水性を有する緩衝布が、中間の複数の箇所が接着されて重複形成されているとともに、前記緩衝布の前記地山に対接する面に、前記緩衝布の幅方向に短尺の取付片を緩衝布の長さ方向に所定間隔で配設した防水シートを用い、ロール状に巻回された該防水シートを解反させるとともに、該防水シートの緩衝布面を展張装置の押さえローラで前記地山側へ当接させ、同時に該防水シートの緩衝布の側縁を地山側へ固定させるとともに、前記取付片を地山側へ固定して、前記坑道の内壁面の横断方向に連続して被着させ、前記防水シートの緩衝布の側縁と前記取付片は、押さえ板を介して地山側へ固定させることを特徴とする防水シートの展張方法。
【請求項３】
トンネル掘穿坑道の内壁面に、該坑道の地山側から浸出する湧水を前記坑道の底部に集排水させる防水シートを展張する方法において、
遮水シートの地山対接面に、通水性を有する緩衝布が、中間の複数の箇所が接着されて重複形成されているとともに、前記緩衝布の前記地山に対接する面に、前記緩衝布の幅方向に長尺であって且つ該幅方向に対しやや斜めとなる取付片を緩衝布の長さ方向に所定間隔で配設した防水シートを用い、ロール状に巻回された該防水シートを解反させるとともに、該防水シートの緩衝布面を展張装置の押さえローラで前記地山側へ当接させ、同時に該防水シートの緩衝布の側縁を地山側へ固定させるとともに、前記取付片をその長手方向の端部から順次起き上がらせるようにして地山側へ固定し、前記坑道の内壁面の横断方向に連続して被着させ、前記防水シートの緩衝布の側縁と前記取付片は、押さえ板を介して地山側へ固定させることを特徴とする防水シートの展張方法。
【発明の詳細な説明】
【０００１】
【産業上の利用分野】
本発明は、トンネル掘穿坑道の内壁面に展張され、該坑道の地山から浸出する湧水を前記坑道の両側底に集排水させる防水シートの展張方法に関するものである。
【０００２】
【従来の技術】
ＮＡＴＭ工法において、トンネル掘穿坑道を掘削したのち、その内壁面となる地山の表面には、一次覆工としてのコンクリートが吹きつけられる。
そして、この一次覆工コンクリートに防水シートを展張させ、この防水シートに二次覆工コンクリートが打設される。
すなわち、一次覆工コンクリートと二次覆工コンクリートとの間に、防水シートを介装させ、一次覆工コンクリート側からの湧水をこの一次覆工コンクリートと防水シートとの間に通水させ、前記湧水を二次覆工コンクリート側に浸出することを防止している。
【０００３】
従来、この防水シートは、遮水シートと、透水性緩衝材としての不織布やループ状起毛織布とを積層して形成された構造が知られている。
そして、この防水シートを前記一次覆工コンクリートに展張させるには、前記透水性緩衝材をこの一次覆工コンクリート面に当接させ、その両側縁を釘等を用い、坑道の横断方向へ順次、固定させていた。
また、広幅の防水シートの場合、その展張時に、防水シートの中央部分が自重で弛んでしまうため、その略中央に帯状に形成された中間止め用の取付け片を備えた防水シートも開発されている（実開昭６１−５８２９９号公報）。
【０００４】
【発明が解決しようとする課題】
しかしながら、上述した従来の防水シートは、作業者の手作業で施工していたが、作業効率を上げる為、展張装置による施工が行われるようになってきた。
この場合、展張装置の押さえローラで防水シートを地山側壁面へ押さえる為、中間止片を固定する作業性が悪いという欠点が発生した。
【０００５】
そこで本発明は、上記問題点を解消するために、地山側に対して作業性のよい防水シートの展張方法を提供することを目的としている。
【０００６】
【課題を解決するための手段】
次に、上記の目的を達成するための手段を、実施例に対応する図面を参照して説明する。
この発明の防水シートの展張方法は、トンネル掘穿坑道の内壁面に、該坑道の地山側から浸出する湧水を前記坑道の底部に集排水させる防水シートを展張する方法において、遮水シートの地山対接面に、通水性を有する緩衝布が、中間の複数の箇所が接着されて重複形成されているとともに、前記緩衝布の前記地山に対接する面に、前記緩衝布の幅方向に長尺又は短尺の取付片を緩衝布の長さ方向に所定間隔で配設した防水シート３１を用い、ロール状に巻回された該防水シートを解反させるとともに、該防水シートの緩衝布面を展張装置の押さえローラで前記地山側へ当接させ、同時に該防水シートの緩衝布の側縁を地山側へ固定させるとともに、前記取付片を地山側へ固定して、前記坑道の内壁面を横断方向に連続して被着させることを特徴としている。
【０００７】
さらに、この発明の防水シートの展張方法は、トンネル掘穿坑道の内壁面に、該坑道の地山側から浸出する湧水を前記坑道の底部に集排水させる防水シートを展張する方法において、遮水シートの地山対接面に、通水性を有する緩衝布が、中間の複数の箇所が接着されて重複形成されているとともに、前記緩衝布の前記地山に対接する面に、図１２に示すように、緩衝布３３の幅方向に長尺であって且つ該幅方向に対しやや斜めとなる取付片３４を緩衝布３３の長さ方向に所定間隔で配設した防水シート３１を用い、ロール状に巻回された該防水シートを解反させるとともに、該防水シートの緩衝布面を展張装置の押さえローラで前記地山側へ当接させ、同時に該防水シートの緩衝布の側縁を地山側へ固定させるとともに、前記取付片３４をその長手方向の端部から順次起き上がらせるようにして地山側へ固定し、前記坑道の内壁面を横断方向に連続して被着させることを特徴としている。
【０００８】
また、これらの展張方法において、前記防水シート３１の緩衝布の前記取付片と側縁は、押さえ板３６（図５参照）を介して地山側へ固定させることを特徴としている。
【０００９】
【実施例】
始めに、本発明の展張方法に用いる防水シート３１を、トンネルの坑道内壁面２０ａに展張させる展張装置２５について説明する。
この展張装置２５は、図１に示すように、トンネル掘穿坑道２０の地山２１表面に一次覆工コンクリート２２が吹きつけられた後の、坑道２０内に枠組みされた作業架台２６に、この坑道２０の内壁面２０ａの横断方向に沿って配設される湾曲形成したガイドレール２７上を移動するようになっている。
【００１０】
そして、この展張装置２５は、ロール状に巻回された防水シート３１が載置され、このロール状の防水シート３１を所定ピッチで解反させるとともに、前記ガイドレール２７上を移動し、かつ解反させた防水シート３１を図４に示すように緩衝布３側を表面とするように一対のアーム２８で伸長させ支持し、坑道２０の内壁面２０ａなどの被展張部分に、アーム２８間に配設された押さえローラ２９にてこの防水シート３１の緩衝布３面を当接させるようになっている。
なお、この展張装置２５には、作業者が搭乗する作業台３０が付設されている。
【００１１】
次に、本発明による第１の実施例の防水シート３１について説明する。
図２は、本実施例の防水シートを示す平面図、図３は同防水シートの概略縦断面図である。
この防水シート３１は、図２及び図３に示すように、遮水シート３２と、緩衝布３３と、取付片３４とで構成されている。
【００１２】
遮水シート３２は、ポリエチレン，ポリプロピレン，ポリ塩化ビニル，エチレン・酢酸ビニル共重合体，等の軟質な熱可塑性樹脂や、エラストマー等の軟質な合成ゴムなどを素材とし、幅広の帯状に形成されている。
【００１３】
また、緩衝布３３は、不織布や、ポリエチレンやポリプロピレンの生地にループを織り込んだ起毛布等の通水性を有した材質である。
【００１４】
さらに、取付片３４は前記緩衝布３３と同様の不織布等より形成され、長尺な帯状形状に形成されている。
【００１５】
そして、図３に示すように、前記遮水シート３２の地山対接面となる一方の面３２ａに、前記緩衝布３３が点接着や線接着によって間欠的に複数の中間箇所が接着され、重複形成されるとともに、前記緩衝布３３の地山対接面となる一方の面３３ａに複数の取付片３４が図２に示すように、緩衝布３３の長さ方向に所定間隔毎となるように、前記緩衝布３３のみに縫着によって取り付けられている。
【００１６】
各取付片３４は、緩衝布３３の幅方向、すなわち、この緩衝布３３の長手方向と直交する方向を長辺の方向とし、この長辺の一方の辺である一方の縁部、本実施例では図４に示すように前記展張装置２５によってこの防水シート３１を坑道２０の内壁面２０ａに展張する際の被展張側となる押さえローラ２９側、を縫着によって取り付けられている。すなわち、一方の長辺を固定される縫着部分（縫い目）３４ａとし、他方の長辺を自由端縁３４ｂとなるように取り付けられている。
【００１７】
なお、この防水シート３１の両側縁部分は、遮水シート３２と緩衝布３３とが接着されておらず、遊離状態となっており、緩衝布３３の両側は取付縁部３５となっている。
【００１８】
次に、上記のように構成された第１の実施例の防水シート３１のトンネル掘穿坑道２０への展張の方法について説明する。
防水シート３１は、地山２１側と対接する面となる緩衝布３３側を地山側となるようにロール状に巻回され、このロール状の防水シート３１を、展張装置２５に載置するとともに、シート先端が押さえローラ２９に掛けられ、展張が開始される。
【００１９】
展張が開始されると、展張装置２５はロール状の防水シート３１を解反させるとともに、この防水シート３１の緩衝布３３面側を押さえローラ２９で地山２１側に当接させる。  このとき、押さえローラ２９の位置で、取付片３４の縫い目３４ａ部分が先に当接することから、この取付片３４の自由端縁部分３４ｂが、図４に示すように、緩衝布３３面より浮き上がり、この緩衝布３３と取付片３４との間にてこの取付片３４を、作業台３０上の作業者が地山２１側へ釘７等で固定させる。この固定の際、図５に示すように、この取付片３４の上から帯状に形成された押さえ板３６にて押さえ、この押さえ板３６を介して地山２１側へ固定させる。
また、同時に、作業台３０上の作業者は、地山２１側に当接される防水シート３１の緩衝布３３の両側の取付縁部３５を地山側へ釘６等で固定する。
【００２０】
そして、展張装置２５は、防水シート３１を所定ピッチ毎繰り出すとともに、ガイドレール２７上をこのピッチに合わせて坑道２０の横断方向に移動し、作業者は順次この防水シート３１の取付片３４、および両側縁部分の取付縁部３５を釘６等で押さえ板３６を介して地山２１側へ固定する（図６参照）。
【００２１】
従ってこのように構成された第１の実施例の防水シート３１では、地山対接面に取付片３４が設けられたことにより、地山２１側への固定が防水シート３１の長さ方向の両側（取付縁部３５）だけでなく、その幅方向においても所定間隔毎に固定されるので、防水シート３１は展張された状態で弛むことなく地山２１側に固定され、展張後の二次覆工コンクリート打設時に支障を来すことがない。
【００２２】
また、前述したように防水シート３１に長尺の取付片３４が設けられていることで、展張装置２５による展張時に、この取付片３４が緩衝布３３面から浮き上がり、地山２１側への固定作業が極めて行いやすくなっている。
【００２３】
なお、上記実施例では、取付片３４をその長辺が緩衝布３３の幅方向に直交して縫着された例について述べたが、図７に示すように、取付片３４の長手方向（長辺）を緩衝布３３の幅方向に対しやや斜めとなるように取り付けた構成としてもよい。この場合、展張装置２５による展張時に取付片３４がその長手方向の端部から順次起き上がるので地山側への固定がさらに容易になる。
【００２４】
図８及び図９の他の実施例では、緩衝布３３の幅方向に短尺とされた取付片３４の長辺の長さが、上記図２及び３、並びに、上記図７の実施例の取付片３４の長辺の長さよりも、短く形成されている。
【００２５】
【発明の効果】
以上説明したように本発明による防水シートの展張方法では、シートの地山対接面に長尺の取付片が幅方向に設けられたことにより、地山側への固定が防水シートの両側だけでなく、その幅方向においても所定間隔毎に固定されるので、防水シートは展張された状態で弛むことなく坑道の内壁面に展張固定され、展張後の二次覆工コンクリート打設時に支障を来すことがないという効果がある。
【００２６】
また、取付片が、展張装置による展張時に地山対接面より確実に浮き上がるという効果があり、これにより地山側への固定作業が極めて容易に行えるという効果がある。
【００２７】
また、本発明にかかる防水シートの展張方法によれば、展張時における防水シートの取付片及び緩衝布の側縁を地山側へ固定させる際に、この取付片を押さえる押さえ板を用い、この押さえ板を介して固定させるので、確実に地山側へ取付片及び緩衝布を固定することができ、この取付片が地山側から容易に脱落することがないとともに、防水シートが確実に地山側に固定させることができるという効果がある。
【図面の簡単な説明】
【図１】本発明の展張方法に用いる展張装置の概略側面図
【図２】本発明の展張方法に用いる防水シートの第１の実施例を示す平面図
【図３】同防水シートの縦断面図
【図４】本発明の展張方法に用いる展張装置の要部の作動状態を示す縦断面図
【図５】同展張装置による防水シートの取付状態を示す斜視図
【図６】同防水シートの取付状態を示す横断面図
【図７】本発明の展張方法に用いる防水シートの第２の実施例を示す平面図
【図８】本発明の展張方法に用いる防水シートの第３の実施例を示す平面図
【図９】同防水シートの縦断面図
【符号の説明】
３１…防水シート
３２…遮水シート
３２ａ…地山対接面（一方の面）
３３…緩衝布
３３ａ…地山対接面（一方の面）
３４…取付片
２０…坑道
２０ａ…内壁面
２１…地山
２５…展張装置
２９…押さえローラ
３６…押さえ板
【図１】
0003607244.tif 000002
【図２】
0003607244.tif 000003
【図３】
0003607244.tif 000004
【図４】
0003607244.tif 000005
【図５】
0003607244.tif 000006
【図６】
0003607244.tif 000007
【図７】
0003607244.tif 000008
【図８】
0003607244.tif 000009
【図９】
0003607244.tif 000010